(57)【特許請求の範囲】
【請求項１】
主光源を有するライトヘッドと、
前記ライトヘッドに連結され、かつ支持部材上に前記ライトヘッドを取り付けるように構成されているアーム組立体と、
前記ライトヘッドと前記支持部材の間において前記アーム組立体へ連結されたタスクライトとを備え、
前記アーム組立体には内側開口が形成され、前記タスクライトの電球が前記内側開口内に配置され、
前記アーム組立体は前記ライトヘッドへ回動可能に連結されたヨークを有し、前記内側開口は前記ヨークに形成され、
前記タスクライトは、前記ヨークの上面から離れた方向に光を発するように構成された白熱電球を有し、前記タスクライトをオン及びオフにするために前記ヨークの底面上に取り付けられたコントロールスイッチをさらに備えている手術ライト装置。
【請求項２】
前記タスクライトをオン及びオフにするために前記アーム組立体へ連結されたコントロールスイッチをさらに備えた請求項１に記載の装置。
【請求項３】
前記アーム組立体から離間した遠隔位置で取り付けられた第二コントロールスイッチをさらに備え、前記第二コントロールスイッチは前記タスクライトをオン及びオフにするように構成されている請求項２に記載の装置。
【請求項４】
前記ヨークへ回動可能に連結されている第一アームセグメントと、前記第一アームセグメントへ回動可能に連結されている第二アームセグメントとをさらに有する請求項１に記載の装置。
【請求項５】
前記ライトヘッドへ連結されたハンドルをさらに備え、前記ハンドルは、前記ライトヘッド内で、前記主光源の強度を調節するためのアクチュエータを有するように形成された請求項１に記載の装置。
【請求項６】
前記アクチュエータは前記主光源をオン及びオフにする請求項５に記載の装置。
【請求項７】
前記アクチュエータは前記ライトヘッドの殺菌領域内に配置されている請求項４に記載の装置。
【請求項８】
主光源を有するライトヘッドと、
前記ライトヘッドに連結され、かつ支持部材上に前記ライトヘッドを取り付けるように構成されたアーム組立体と、
前記アーム組立体に連結されたタスクライトと、
前記タスクライトをオン及びオフにするために前記アーム組立体に連結されたコントロールスイッチと、
前記アーム組立体から離間した遠隔位置に取り付けられ、かつ前記タスクライトをオン及びオフにするように構成された第二コントロールスイッチとを備え、
前記アーム組立体には内側開口が形成され、前記タスクライトの電球が前記内側開口内に配置され、
前記アーム組立体は、前記ライトヘッドに回動可能に連結されたヨークを有し、前記内側開口は前記ヨークに形成され、
前記コントロールスイッチは、前記ヨークの底面上に取り付けられている手術ライト装置。
【請求項９】
前記ライトヘッドへ連結されたハンドルをさらに備え、前記ハンドルは、前記ライトヘッド内で前記主光源の強度を調節するためのアクチュエータを有することが形成されている請求項８に記載の装置。
【請求項１０】
前記アクチュエータは、前記主光源をオン及びオフにする請求項９に記載の装置。
【請求項１１】
前記アクチュエータは、前記ライトヘッドの殺菌領域内に配置されている請求項９に記載の装置。
【請求項１２】
主光源を有するライトヘッドと、
前記ライトヘッドに連結され、かつ支持部材上に前記ライトヘッドを取り付けるように構成されているアーム組立体と、
前記アーム組立体に連結されたタスクライトであって、前記アーム組立体は前記ライトヘッドに回動可能に連結されたヨークを有し、前記タスクライトは前記ヨークへ連結され、前記タスクライトが、前記ヨークの上面から離れた方向に光を放つように構成されている、タスクライトと、
前記タスクライトをオン及びオフにするために前記ヨークの底面に取り付けられているコントロールスイッチとを備え、
前記ヨークには内側開口が形成され、前記タスクライトの電球が前記内側開口内に配置された手術ライト装置。
【請求項１３】
前記アーム組立体は、前記ヨークに回動可能に連結された第一アームセグメントと、前記第一アームセグメントに回動可能に連結された第二アームセグメントとをさらに有する請求項１２に記載の装置。
【請求項１４】
前記ライトヘッドに連結されたハンドルをさらに備え、前記ハンドルは、前記ライトヘッド内で前記主光源の強度を調節するためのアクチュエータを有するように形成された請求項１２に記載の装置。
【請求項１５】
前記アクチュエータは前記主光源をオン及びオフにする請求項１４に記載の装置。
【請求項１６】
前記アクチュエータは、前記ライトヘッドの殺菌領域内に配置されている請求項１４に記載の装置。
【発明の詳細な説明】
【０００１】
発明の背景及び要約
本発明は手術ライト装置に関する。とりわけ、本発明は別個のタスクライトを有する手術ライト装置に関する。
【０００２】
患者の手術部位を照らすための病院の手術室で使用される手術ライトが公知である。多くの手術ライトは、患者に関して手術ライトの位置を調節することができるアーム機構によって、病院室内の天井、壁又はスタンドから吊るされている。手術ライトが外科医の背後の位置に配置されることが一般的であり、外科医の頭は、手術ライトと手術部位の間に位置する。外科医の頭の周囲において、手術部位に向けて光を反射させるドーム形状のレフレクタを有する手術ライトが公知である。患者の体腔内に深く光を照らし、人や器具の干渉によって引き起こされる影に対して、手術ライトが高い輝度のレベルを付与することが望ましい。
【０００３】
ライトハウジング内に配置された主光源を有し、かつ主光源と反対の方向に補助光線を付与するライトハウジングに取り付けられたさらなるランプを有する手術ライトを付与することも公知である。米国特許第５５３９６２６号を参照されたい。同特許第‘６２６号のライトでは、切換スイッチを通して、交互に主光源と補助光源に電力が供給される。
【０００４】
本発明の手術ライト装置は、ライトヘッドハウジングに直接的に補助ライトを取り付けるこのような公知の手術ライトよりも改良した構造を付与する。本発明は、ライトヘッドの外形寸法を可能な限り小さくすることができ、同時に病室用補助ライトの利益をさらに付与する。さらに、ライトヘッドハウジング上に補助光源を取り付けることによって、ライトヘッドの熱の消散を低減することができる。
【０００５】
本発明の手術ライト装置は、ライトヘッドを天井、壁又はスタンド等の支持面へ連結させるように構成された支持アーム組立体を有する。例示すると、アーム組立体は、上アームと、上アームと回動可能に連結された下アームと、下アームに回動可能に連結されたヨークとを有する。ライトヘッドは、ヨークに関して回動可能であり、手術部位に関するライトヘッドの位置は、複数の異なる位置に調節可能である。
【０００６】
本発明の手術ライトは、支持アーム組立体に取り付けられているタスクライトを有し、手術ライトが使用されていない時に室用補助光源を付与する。例示すると、タスクライトは、アーム組立体のヨークへ連結されている。タスクライト用コントロールは、ヨークのタスクライトと反対側に取り付けられている。さらに、別個のタスクライト用コントロールは、必要に応じて、手術ライトから離間してコントロールボックスに取り付けることができる。
【０００７】
本発明のタスクライト及びコントロールは、支持アーム上の小さな領域内に配置され、ライトヘッドから離間しており、タスクライト及びタスクライトコントロールの据え付けを容易にする。それゆえ、ライトヘッドのハウジングが、公知の手術ライト等の補助ライトを受容するために特別には修正されないので、手術ライトは、別個のオプションとしてタスクライトと共に売ることができる。
【０００８】
本発明のさらなる特徴及び利点は、現在考えられる、本発明を実施する最適な態様を示す好適な実施例の以下の詳細な記載を考慮することによって当業者に明らかになる。
【０００９】
図面の詳細な説明
特に添付図面を参照して詳細に説明する。図１に示すように、手術ライト装置３０は、第一アーム組立体３２と、第二アーム組立体３４と、第一アーム組立体３２へ連結された第一ライトヘッド３６と、第二アーム組立体３４に連結された第二ライトヘッド３８とを有する。第一アーム組立体３２及び第二アーム組立体３４の各々は、天井４４と関連した適切な支持構造体（図示せず）に装着されるように構成されている一般的な装着装置４２へ連結されている。第一ライトヘッド３６及び第二ライトヘッド３８を壁又は別個のスタンド等の任意の適切な支持構造へ取り付けることができるということが理解される。各アーム組立体３２、３４は、Ｌ字形状上側又は上アーム４６と、下側又は下アーム４８と、ヨーク部５０とを有する。各上アーム４６は、垂直回動軸線５２回りに装着装置４２に関して独立的に回動可能である。各下アーム４８は、各水平又は主回動軸線５４回りと、回動軸線５２から離間している各垂直回動軸線５３回りとで各上アーム４６に関して回動可能である。さらに、各ヨーク部５０は、各回動軸線５６回りで各下アーム４８に関して回動可能であり、ライトヘッド３６、３８の各々は、各回動軸線５８回りで各ヨーク部５０に関して回動可能である。したがって、アーム組立体３２、３４及びライトヘッド３６、３８は、天井４４に関して種々の位置へ移動可能である。
【００１０】
図１に示すように、各ライトヘッド３６、３８は、ドーム形状ハウジング６０と、各ライトヘッド３６、３８からそれを通して光が放つレンズ６２と、ハンドル組立体６４とを有する。各ハンドル組立体６４は、ハンドル６６を有し、外科医がこのハンドルを握って各ライトヘッド３６、３８及び関連したアーム組立体３２、３４を所望の位置へ移動させる。各ライトヘッド３６、３８は、一つ以上白熱電球（図示せず）を有し、各ライトヘッド３６、３８は、患者の手術部位を照らすために少なくとも一つの白熱電球から発する光を反射するレフレクタ（図示せず）を有する。手術ライトヘッド３６を参照して図２に示すように、各ライトヘッド３６、３８は、主白熱電球６８と余分な又は補助的な白熱電球７０を有するランプ組立体６９を有する。さらに、各ライトヘッド３６、３８は、白熱電球６８及び白熱電球７０から発する光を患者の手術部位を照らすように反射させるレフレクタ７２を有する。主白熱電球６８が燃え尽きて補助白熱電球７０が自動的にオンになるまで、補助白熱電球７０はオフの状態のままである。したがって、手術ライトヘッド３６を参照して図２に示すように、各ライトヘッド３６、３８は、光吸収濾過装置７１をさらに有する。光吸収フィルタ７１は、白熱電球６８、７０のいずれかからの近赤外線放射及び中間赤外線放射のほとんどを濾過するために、特別に配合されたガラスで製造されている。
【００１１】
ライトヘッド３６とライトヘッド３６の操作の以下の説明は、特に別に断らない限り、ライトヘッド３８とライトヘッド３８の操作にも当てはまる。さらに、図１に示すように、手術ライト装置３０は、二つのアーム組立体３２、３４及び二つのライトヘッド３６、３８を有するが、異なる数のアーム組立体と対応のライトヘッドが付与されるような現在考えられることも本発明の範囲内である。例えば、一つのアーム組立体及び一つの対応のライトヘッドを有する手術ライト装置や、三つ以上のアーム組立体及び三つ以上の対応のライトヘッドも可能である。
【００１２】
各ハンドル組立体６４のハンドル６６は、手術部位を照らす反射された光のパターン寸法を調節するために、図２に両矢印７３で示されているように、レフレクタ７２に関して上下に主白熱電球６８及び補助白熱電球を移動させるために回転可能である。パターン寸法は、ほぼ関連ライトヘッド３６、３８によって照らされる領域の直径と考えられる。さらに、ハンドル組立体６４は、少なくとも一つの白熱電球６８、７０から発する光の強度レベルを調節するために押されるボタン７４をハンドル６６の底面において有する。ハンドル組立体６４は、ハンドル６６の上方に配置されたエスカチオン又はライトコアパネル７６を有する。ハンドル組立体６４は、パネル７６の各側に見える第一組のＬＥＤ７８及び第二組のＬＥＤ８０をさらに有し、白熱電球６８、７０の一つが使用モードであるかスタンバイモードであるかにつ情報や、補助白熱電球７０又は主白熱電球６８が運転白熱電球であるかについての情報や、白熱電球６８、７０の運転白熱電球から発する光の強度レベルに関する情報を使用者に提供する。好適な実施例では、白熱電球６８、７０の各々は、タングステンハロゲンランプである。
【００１３】
図１に示すように、手術ライト装置３０は、コントローラボックス８２を有する。このコントローラボックス８２は、壁８４又は他の適切な構造体へ装着され、白熱電球６８、７０の操作を制御するために手術ライトヘッド３６、３８へ電気的に連結されている。コントローラボックス８２は、コントロールパネル８６と、各ライトヘッド３６、３８と関連した組のＬＥＤ９０とを有する。各組のＬＥＤ９０は、同様に配置され、各ライトヘッド３６、３８のＬＥＤ７８、８０と同じ情報を提供する。さらに、少なくとも一つの光強度を変更するために関連するライトヘッド３６、３８のボタンが押されるのと同じように、各白熱電球６８、７０の光強度を変更するために各ボタン８６が押される。したがって、白熱電球６８、７０の操作は、各ハンドル組立体６４又はコントローラボックス８２のいずれかを用いて制御可能である。
【００１４】
手術ライト装置３０の他の特徴は、手術ライト装置用レフレクタと題する同時継続出願米国特許出願第０９／０５０２６５号、手術ライト装置用支持アームと題する同第０９／０５０５３０号、冷却性を改良した手術ライト装置と題する同第０９／０５０５２９号及び手術ライト用制御と題する同第０９／０５０５３４号に詳細に説明されて示されており、これら全ては参照することによって本明細書に組み込まれる。
【００１５】
図２について言うと、手術ライト３６は、レンズ６２とレフレクタ７２の間で内部領域又はエンクロージャ１００を形成する。レンズ６２及びレフレクタ７２は、適切なファスナ１０２によって外側ハウジング６０へ連結されている。本発明の手術ライト装置は、手術行為の間において手術部位において使用されるので、ライトヘッド３６上において殺菌領域が付与されなければならない。図２に示す殺菌領域１０４は、典型的には、レンズ６２とハンドル組立体６４の領域である。レンズ６２をふき取る又は清掃し、ハンドル組立体を清掃又は加圧減菌で殺菌し、ハンドル上の使い捨てのカバー又はシールドを付与することによって維持することができる。
【００１６】
図１及び３〜５に示すように、手術ライト装置３０はタスクライト９２を有する。コントローラボックス８２は、タスクライト９２をオン及びオフにするために、押されるボタン９４を選択的に有してもよい。アーム組立体３２のヨーク５０は、下アーム４８へ回動可能に取り付けられている中央ハブ１０６を有する。ヨーク５０は、ハブ１０６から離れて延びているアーム１０８をさらに有する。アーム１０８の遠端部は、適切なコネクタ１１０によって手術ライトヘッド３６のハウジング６０へ連結されている。
【００１７】
図３〜５に示すように、タスクライト９２は、ライトヘッド３６のハウジング６０から離間してヨーク５０のハブ１０６上に取り付けられている。タスクライト９２がこの取り付け位置にあることにより、ライトヘッドがさらなる物品を必要とせず、ライトヘッド３６の外形又は寸法は可能な限り小さくすることができる。それゆえ、ライトヘッドは、手術行為の間に邪魔にならない。さらに、ハウジング６０は、熱発散作用を低減する可能性のある任意の余分な構造的な構成要素を必要としない熱発散領域を付与する。
【００１８】
ヨーク５０上にタスクライト９２を取り付けることによって、選択的な物品としてタスクライト９２を付与することが容易となる。もしライトハウジング６０がタスクライト９２のために特別に形成されるならば、ハウジング６０でタスクライトを有しないことは困難である。もしオプションが選択されるならば、ヨーク５０は、タスクライト９２を受容するために迅速に修正することができる。制御ワイヤがアーム組立体３２を通ってすでに延びているので、タスクライト９２を取り付けるために、開口部を所望の位置で形成することができる。
【００１９】
図３及び４に示すように、ドーム状カバー１１２は、ヨーク５０の上側面に取り付けられる。タスクライトの白熱電球１１４は、ヨーク５０に形成される内側開口１１６内に配置される。図５に示すように、タスクライト白熱電球１１４用のコントロール１１７は、ヨーク５０の底面上に取り付けられる。示しているコントロール１１７は、タスクライト９２をオンにするための第一プッシュボタン１１８と、タスクライト９２をオフにするための第二プッシュボタン１２０とを有する。さらに、コントロールボックス９２上のアクチュエータボタン９４は、タスクライト９２をオン及びオフにするために使用されることができる。
【００２０】
本発明は特定の示されている実施例を参照して詳細に記載されているが、請求の範囲に記載されかつ規定されているように、変形及び修正は本発明の範囲及び精神の中にある。
【図面の簡単な説明】
【図１】  本発明による手術ライト装置の斜視図であり、第一アーム組立体によって病室の天井から吊るされている第一手術ライトヘッドと、第二アーム組立体によって病室の天井から吊るされている第二手術ライトヘッドと、病室の壁に取り付けられているライトコントローラボックスとを示している。
【図２】  図１の第一手術ライトヘッドの断面図であり、ドーム形状外側カバーと、外側カバーによって包囲されているドーム形状レフレクタと、外側カバーへ連結されたレンズと、レフレクタ及びレンズによって包囲されているランプと、ランプ組立体へ連結されたハンドル組立体とを示している。
【図３】  第一手術ライトヘッド及びアーム組立体の上面図であり、アーム組立体上のタスクライトの位置をさらに示している。
【図４】  図３の側面図である。
【図５】  ライトヘッド及びアーム組立体の底面図であり、タスクライト及び手術ライト用コントロールを示している。
【図１】
0004475807.tif 000002
【図２】
0004475807.tif 000003
【図３】
0004475807.tif 000004
【図４】
0004475807.tif 000005
【図５】
0004475807.tif 000006